【手続補正書】
【提出日】令和2年10月16日(2020.10.16)
【手続補正１】
【補正対象書類名】特許請求の範囲
【補正対象項目名】全文
【補正方法】変更
【補正の内容】
【特許請求の範囲】
【請求項１】
プロセスプラントのプロセス制御システムから遠隔コンピューティングデバイスにデータを安全に提供する方法であって、
データサーバにおいて、第１のネットワークを介してモバイルサーバから、第２のネットワークを介して前記モバイルサーバから前記遠隔コンピューティングデバイスに通信されるプロセスデータを示す、要求されたプロセスデータパラメータの指示を含む、１つ以上のリストを取得することと、
第３のネットワークを介して前記プロセス制御システム内の複数のプロセスコントローラから、１つ以上の構成ファイルに含まれるプロセスデータパラメータと関連付けられるプロセスデータパラメータ値のストリームを受信することであって、前記１つ以上の構成ファイルが、前記プロセス制御システムの構成を記載する、受信することと、
前記データサーバの１つ以上のプロセッサによって、前記１つ以上のリストの前記要求されたプロセスデータパラメータに対応する、前記受信したプロセスデータパラメータ値のサブセットを識別することと、
前記第１のネットワークを介して前記データサーバから前記モバイルサーバに、前記プロセスデータパラメータ値の識別されたサブセットを通信することと、を含む、方法。
【請求項２】
データサーバにおいて、前記第３ネットワークを介して前記プロセスプラント内の１つ以上のコンポーネントから、１つ以上の構成ファイルのコピーを受信し、前記構成ファイルが、前記プロセス制御システムの構成を記載し、操作可能であり、前記プロセス制御システムのプロセスコントローラにダウンロードされたとき、前記プロセスコントローラに前記プロセスプラントを制御させ、前記要求されたプロセスデータパラメータが前記１つ以上の構成ファイルで特定されたプロセスデータパラメータの中から選択されること、をさらに含む、請求項１に記載の方法。
【請求項３】
前記第１のネットワークを介して前記データサーバから前記モバイルサーバに、前記１つ以上の構成ファイルの少なくとも一部を通信することと、をさらに含み、
前記プロセスプラント内の前記１つ以上のコンポーネントが、前記複数のプロセスコントローラであり、
前記１つ以上の構成ファイルが、前記プロセスプラントの動作を制御するために前記複数のプロセスコントローラによって使用される、
請求項２に記載の方法。
【請求項４】
前記モバイルサーバにおいて、前記第１のネットワークを介して前記データサーバから、前記１つ以上の構成ファイルを受信することと、
前記受信した１つ以上の構成ファイル及び前記遠隔コンピューティングデバイスと関連付けられる情報に基づいて、前記モバイルサーバの１つ以上のプロセッサによって、前記１つ以上のリストを判定することと、
前記第１のネットワークを介して前記モバイルサーバから前記データサーバに、前記１つ以上のリストを通信することと、をさらに含む、請求項２に記載の方法。
【請求項５】
前記１つ以上の構成ファイルが、前記プロセス制御システム内の設備及び制御モジュールの階層に関する情報を含む、請求項１から４のいずれか１項に記載の方法。
【請求項６】
前記プロセスデータパラメータ値の各々が前記複数のプロセスコントローラのうちの１つによって生成または受信されるとき、前記データサーバが、リアルタイムで前記プロセスデータパラメータ値のストリームを受信する、請求項１から５のいずれか１項に記載の方法。
【請求項７】
前記それぞれのプロセスデータパラメータ値が前記データサーバによって受信されるとき、前記プロセスデータパラメータ値の識別されたサブセットの各プロセスデータパラメータ値が、リアルタイムで前記データサーバから前記モバイルサーバに通信される、請求項６に記載の方法。
【請求項８】
前記識別されたプロセスデータパラメータ値の前記サブセットが、前記要求されたプロセスデータパラメータによって示される１つ以上のデータタグと、前記受信したプロセスデータパラメータ値と関連付けられる１つ以上のデータタグとの比較に基づいて判定される、請求項１から７のいずれか１項に記載の方法。
【請求項９】
前記１つ以上のリストを取得することが、
前記第１のネットワークを介して前記データサーバから前記モバイルサーバに、前記１つ以上のリストのポーリング要求を伝送することと、
前記ポーリング要求に応答して、前記データサーバにおいて、第１のネットワークを介して前記モバイルサーバから前記１つ以上のリストを受信することと、を含む、請求項１から８のいずれか１項に記載の方法。
【請求項１０】
前記データサーバが、前記プロセスデータパラメータの少なくとも一部のプロセスデータパラメータ値の生成と関連付けられる期間よりも長い期間で、前記ポーリング要求を定期的に伝送する、請求項９に記載の方法。
【請求項１１】
前記１つ以上のリストが、前記プロセスプラントと関連付けられる追加的な要求されたデータの指示を含み、
前記データサーバにおいて、前記第３のネットワークを介して前記プロセス制御システム内の追加的なコンポーネントから、前記追加的な要求されたデータと関連付けられる追加的なデータ値を受信することと、
前記第１のネットワークを介して前記データサーバから前記モバイルサーバに、前記追加的なデータ値を通信することと、をさらに含む、請求項１から１０のいずれか１項に記載の方法。
【請求項１２】
プロセスプラントのプロセス制御システムから遠隔コンピューティングデバイスにプロセスデータを通信するためのコンピュータシステムであって、
１つ以上のプロセッサと、
プロセス制御ネットワーク及び遠隔アクセスネットワークを介して、データを送信及び受信するように構成される１つ以上の通信ユニットと、
命令を記憶するメモリと、を備え、該命令が前記１つ以上のプロセッサによって実行されるとき、前記コンピュータシステムに、
前記１つ以上の通信ユニットによって、前記プロセス制御ネットワークを介して、前記プロセス制御システムの構成を記載する１つ以上の構成ファイルを受信させ、
前記遠隔コンピューティングデバイスデバイスへのさらなる通信のために、前記１つ以上の通信ユニットによって、前記遠隔アクセスネットワークを介して、モバイルサーバによって要求された、要求されたプロセスデータパラメータの指示を含む１つ以上のリストを取得させ、前記要求されたプロセスデータパラメータが、前記１つ以上の構成ファイルと関連付けられるプロセスデータパラメータを示し、
前記１つ以上の通信ユニットによって、前記プロセス制御ネットワークを介して、前記プロセスプラント内の複数のプロセスコントローラからプロセスパラメータデータ値のストリームを受信させ、
前記１つ以上のリストの前記要求されたプロセスデータパラメータに基づいて、前記プロセスパラメータデータ値のストリームから、前記モバイルサーバに送信するための前記プロセスパラメータデータ値のサブセットを選択させ、
前記１つ以上の通信ユニットによって、前記遠隔アクセスネットワークを介して、前記プロセスパラメータデータ値の前記サブセットを前記モバイルサーバに送信させる、コンピュータシステム。
【請求項１３】
前記１つ以上の構成ファイルが、前記プロセス制御システムの構成を記載し、操作可能であり、前記プロセス制御システムのプロセスコントローラにダウンロードされたとき、前記プロセスコントローラに前記プロセスプラントを制御させ、
前記要求されたプロセスデータパラメータが前記１つ以上の構成ファイルで特定されたプロセスデータパラメータの中から選択される、
請求項１２に記載のコンピュータシステム。
【請求項１４】
前記１つ以上の構成ファイルが、前記プロセス制御システム内の設備及び制御モジュールの階層に関する情報を含む、請求項１２または１３に記載のコンピュータシステム。
【請求項１５】
前記１つ以上の構成ファイルが、前記複数のプロセスコントローラから受信され、
前記１つ以上の構成ファイルが、前記プロセスプラントの動作を制御するために前記複数のプロセスコントローラによって使用される、請求項１２から１４のいずれか１項に記載のコンピュータシステム。
【請求項１６】
前記１つ以上のリストを取得することが、
前記１つ以上のリストのポーリング要求を前記モバイルサーバに伝送することと、
前記ポーリング要求に応答して、前記モバイルサーバから前記１つ以上のリストを受信することと、を含む、請求項１２から１５のいずれか１項に記載のコンピュータシステム。
【請求項１７】
前記それぞれのプロセスデータパラメータ値が前記複数のプロセスコントローラのうちの１つによって生成されるとき、前記プロセスデータパラメータ値のストリームの前記プロセスデータパラメータ値の各々が、リアルタイムで受信される、請求項１２から１６のいずれか１項に記載のコンピュータシステム。